(57)【要約】  本発明は、インクジェット組成物を提供する。当該インクジェット組成物は、アニオン性染料と、少なくとも１つの顔料と、酸性液体定着剤とを含み、この場合、酸性液体定着剤は、少なくとも１つのカチオン性成分を含む。また、インクジェットプリンタを用いて画像を印刷する方法も提供する。また、インクジェット組成物を含むインクジェットプリンタも提供する。【選択図】なし【特許請求の範囲】
【請求項１】
２液を含むインクジェット組成物であって、
第１液がアニオン性染料及び少なくとも１つのアニオン性顔料を含み、
第２液が酸性液体定着剤を含み、
前記酸性液体定着剤が少なくとも１つのカチオン性成分を含む、インクジェット組成物。
【請求項２】
前記アニオン性染料が、Ｆｏｏｄ  Ｂｌａｃｋ  ２、Ｆｏｏｄ  Ｇｒｅｅｎ  ３、Ｄｉｒｅｃｔ  Ｙｅｌｌｏｗ  １３２、Ｄｉｒｅｃｔ  Ｂｌｕｅ  ４１、Ｄｉｒｅｃｔ  Ｂｌｕｅ  ５３、Ｄｉｒｅｃｔ  Ｂｌａｃｋ  １６８、Ｄｉｒｅｃｔ  Ｒｅｄ  ２８、Ａｃｉｄ  Ｒｅｄ  ５２、Ａｃｉｄ  Ｒｅｄ  ９１、Ａｃｉｄ  Ｒｅｄ  ２８９、Ａｃｉｄ  Ｂｌｕｅ  １、Ａｃｉｄ  Ｂｌｕｅ  ７、Ａｃｉｄ  Ｂｌｕｅ  ９、Ａｃｉｄ  Ｂｌｕｅ  ３４、Ａｃｉｄ  Ｂｌｕｅ  ９０、Ａｃｉｄ  Ｂｌｕｅ  ９３、Ａｃｉｄ  Ｂｌｕｅ  １０４、Ａｃｉｄ  Ｂｌａｃｋ  １、Ａｃｉｄ  Ｇｒｅｅｎ  ３、Ａｃｉｄ  Ｇｒｅｅｎ  ５、Ａｃｉｄ  Ｇｒｅｅｎ  ５０、Ａｃｉｄ  Ｙｅｌｌｏｗ  ２３、及びそれらの混合物から成る群から選択される、請求項１に記載の組成物。
【請求項３】
前記アニオン性顔料が、該顔料上にカルボキシ官能基を有する、カーボンブラック、アントラキノン、フタロシアニンブルー、フタロシアニングリーン、ジアゾ、モノアゾ、ピラントロン、ペリレン、へテロ環イエロー、キナクリドン、及び（チオ）インジゴイドから成る群から選択される、請求項１に記載の組成物。
【請求項４】
前記アニオン性顔料が、ＣＡＢ−Ｏ−ＪＥＴ  ３００である、請求項１に記載の組成物。
【請求項５】
前記酸性液体定着剤の少なくとも１つのカチオン性成分が、ポリアミン、四級化ポリアミン及びポリグアニジンから成る群から選択される、請求項１に記載の組成物。
【請求項６】
前記アニオン性染料が、前記アニオン性顔料インクの少なくとも約０．０１ｗｔ％から少なくとも約３．０ｗｔ％にて存在する、請求項１に記載の組成物。
【請求項７】
インクジェットプリンタを用いて画像を印刷する方法であって、
（ｉ）アニオン性染料及び少なくとも１つのアニオン性顔料を含有するインク組成物を基材上に噴射すること、
（ｉｉ）少なくとも１つのカチオン性成分を含む酸性液体定着剤を基材上に噴射すること、
を包含する、方法。
【請求項８】
前記アニオン性染料が、Ｆｏｏｄ  Ｂｌａｃｋ  ２、Ｆｏｏｄ  Ｇｒｅｅｎ  ３、Ｄｉｒｅｃｔ  Ｙｅｌｌｏｗ  １３２、Ｄｉｒｅｃｔ  Ｂｌｕｅ  ４１、Ｄｉｒｅｃｔ  Ｂｌｕｅ  ５３、Ｄｉｒｅｃｔ  Ｂｌａｃｋ  １６８、Ｄｉｒｅｃｔ  Ｒｅｄ  ２８、Ａｃｉｄ  Ｒｅｄ  ５２、Ａｃｉｄ  Ｒｅｄ  ９１、Ａｃｉｄ  Ｒｅｄ  ２８９、Ａｃｉｄ  Ｂｌｕｅ  １、Ａｃｉｄ  Ｂｌｕｅ  ７、Ａｃｉｄ  Ｂｌｕｅ  ９、Ａｃｉｄ  Ｂｌｕｅ  ３４、Ａｃｉｄ  Ｂｌｕｅ  ９０、Ａｃｉｄ  Ｂｌｕｅ  ９３、Ａｃｉｄ  Ｂｌｕｅ  １０４、Ａｃｉｄ  Ｂｌａｃｋ  １、Ａｃｉｄ  Ｇｒｅｅｎ  ３、Ａｃｉｄ  Ｇｒｅｅｎ  ５、Ａｃｉｄ  Ｇｒｅｅｎ  ５０、Ａｃｉｄ  Ｙｅｌｌｏｗ  ２３、及びそれらの混合物から成る群から選択される、請求項７に記載の方法。
【請求項９】
前記アニオン性染料が、前記アニオン性顔料インクの少なくとも約０．０１ｗｔ％から少なくとも約３．０ｗｔ％にて存在する、請求項７に記載の方法。
【請求項１０】
前記アニオン性顔料が、該顔料上にカルボキシ官能基を有する、カーボンブラック、アントラキノン、フタロシアニンブルー、フタロシアニングリーン、ジアゾ、モノアゾ、ピラントロン、ペリレン、へテロ環イエロー、キナクリドン、及び（チオ）インジゴイドから成る群から選択される、請求項７に記載の方法。
【請求項１１】
前記アニオン性顔料が、ＣＡＢ−Ｏ−ＪＥＴ  ３００である、請求項７に記載の方法。
【請求項１２】
前記酸性液体定着剤の少なくとも１つのカチオン性成分が、ポリアミン、四級化ポリアミン及びポリグアニジンから成る群から選択される、請求項７に記載の方法。
【請求項１３】
前記酸性液体定着剤が、インク組成物に関し上刷りされる、請求項７に記載の方法。
【請求項１４】
前記酸性液体定着剤が、インク組成物に関し下刷りされる、請求項７に記載の方法。
【請求項１５】
インクジェットプリンタであって、
少なくとも２つの噴射器部を有する少なくとも１つの印刷ヘッド部、及び
少なくとも２つの容器チャンバを有する少なくとも１つの容器部
を含んで成り、各容器チャンバが、少なくとも２つの前記噴射器部の１つに液体を供給し、且つ前記容器チャンバの少なくとも１つが、少なくとも１つのカチオン性成分を含有する下刷り用の定着剤液を含み、且つ
前記容器チャンバの少なくとも１つが、
有機溶媒、
アニオン性染料及び少なくとも１つのアニオン性顔料、及び
少なくとも１つのカチオン性成分を含む酸性液体定着剤
を含んで成るインク組成物を含有する、インクジェットプリンタ。
【請求項１６】
前記アニオン性染料が、Ｆｏｏｄ  Ｂｌａｃｋ  ２、Ｆｏｏｄ  Ｇｒｅｅｎ  ３、Ｄｉｒｅｃｔ  Ｙｅｌｌｏｗ  １３２、Ｄｉｒｅｃｔ  Ｂｌｕｅ  ４１、Ｄｉｒｅｃｔ  Ｂｌｕｅ  ５３、Ｄｉｒｅｃｔ  Ｂｌａｃｋ  １６８、Ｄｉｒｅｃｔ  Ｒｅｄ  ２８、Ａｃｉｄ  Ｒｅｄ  ５２、Ａｃｉｄ  Ｒｅｄ  ９１、Ａｃｉｄ  Ｒｅｄ  ２８９、Ａｃｉｄ  Ｂｌｕｅ  １、Ａｃｉｄ  Ｂｌｕｅ  ７、Ａｃｉｄ  Ｂｌｕｅ  ９、Ａｃｉｄ  Ｂｌｕｅ  ３４、Ａｃｉｄ  Ｂｌｕｅ  ９０、Ａｃｉｄ  Ｂｌｕｅ  ９３、Ａｃｉｄ  Ｂｌｕｅ  １０４、Ａｃｉｄ  Ｂｌａｃｋ  １、Ａｃｉｄ  Ｇｒｅｅｎ  ３、Ａｃｉｄ  Ｇｒｅｅｎ  ５、Ａｃｉｄ  Ｇｒｅｅｎ  ５０、Ａｃｉｄ  Ｙｅｌｌｏｗ  ２３、及びそれらの混合物から成る群から選択される、請求項１５に記載のインクジェットプリンタ。
【請求項１７】
前記アニオン性染料が、前記アニオン性顔料インクの少なくとも約０．０１ｗｔ％から少なくとも約３．０ｗｔ％にて存在する、請求項１５に記載のインクジェットプリンタ。
【請求項１８】
前記アニオン性顔料が、該顔料上にカルボキシ官能基を有する、カーボンブラック、アントラキノン、フタロシアニンブルー、フタロシアニングリーン、ジアゾ、モノアゾ、ピラントロン、ペリレン、へテロ環イエロー、キナクリドン、及び（チオ）インジゴイドから成る群から選択される、請求項１５に記載のインクジェットプリンタ。
【請求項１９】
前記アニオン性顔料が、ＣＡＢ−Ｏ−ＪＥＴ  ３００である、請求項１５に記載のインクジェットプリンタ。
【請求項２０】
前記酸性液体定着剤の少なくとも１つのカチオン性成分が、ポリアミン、四級化ポリアミン及びポリグアニジンから成る群から選択される、請求項１５に記載のインクジェットプリンタ。
【請求項２１】
前記酸性液体定着剤が、インク組成物に関して上刷りされる、請求項１５に記載のインクジェットプリンタ。
【請求項２２】
前記酸性液体定着剤が、インク組成物に関して下刷りされる、請求項１５に記載のインクジェットプリンタ。
【請求項２３】
インクジェット組成物であって、
Ｆｏｏｄ  Ｂｌａｃｋ  ２、Ｆｏｏｄ  Ｇｒｅｅｎ  ３、Ｄｉｒｅｃｔ  Ｙｅｌｌｏｗ  １３２、Ｄｉｒｅｃｔ  Ｂｌｕｅ  ４１、Ｄｉｒｅｃｔ  Ｂｌｕｅ  ５３、Ｄｉｒｅｃｔ  Ｂｌａｃｋ  １６８、Ｄｉｒｅｃｔ  Ｒｅｄ  ２８、Ａｃｉｄ  Ｒｅｄ  ５２、Ａｃｉｄ  Ｒｅｄ  ９１、Ａｃｉｄ  Ｒｅｄ  ２８９、Ａｃｉｄ  Ｂｌｕｅ  １、Ａｃｉｄ  Ｂｌｕｅ  ７、Ａｃｉｄ  Ｂｌｕｅ  ９、Ａｃｉｄ  Ｂｌｕｅ  ３４、Ａｃｉｄ  Ｂｌｕｅ  ９０、Ａｃｉｄ  Ｂｌｕｅ  ９３、Ａｃｉｄ  Ｂｌｕｅ  １０４、Ａｃｉｄ  Ｂｌａｃｋ  １、Ａｃｉｄ  Ｇｒｅｅｎ  ３、Ａｃｉｄ  Ｇｒｅｅｎ  ５、Ａｃｉｄ  Ｇｒｅｅｎ  ５０、Ａｃｉｄ  Ｙｅｌｌｏｗ  ２３、及びそれらの混合物から成る群から選択されたアニオン性染料と、
少なくとも１つのアニオン性顔料と、
酸性液体定着剤と、
を含んで成り、前記酸性液体定着剤が、ポリアミン、四級化ポリアミン及びポリグアニジンから成る群から選択された少なくとも１つのカチオン性成分を含む、インクジェット組成物。
【請求項２４】
インクジェットプリンタを用いて画像を印刷する方法であって、
（ｉ）アニオン性染料及び少なくとも１つのアニオン性顔料を含有するインク組成物を基材上に噴射すること、
（ｉｉ）少なくとも１つのカチオン性成分を含む酸性液体定着剤を基材上に噴射すること、
を包含し、
前記アニオン性染料が、Ｆｏｏｄ  Ｂｌａｃｋ  ２、Ｆｏｏｄ  Ｇｒｅｅｎ  ３、Ｄｉｒｅｃｔ  Ｙｅｌｌｏｗ  １３２、Ｄｉｒｅｃｔ  Ｂｌｕｅ  ４１、Ｄｉｒｅｃｔ  Ｂｌｕｅ  ５３、Ｄｉｒｅｃｔ  Ｂｌａｃｋ  １６８、Ｄｉｒｅｃｔ  Ｒｅｄ  ２８、Ａｃｉｄ  Ｒｅｄ  ５２、Ａｃｉｄ  Ｒｅｄ  ９１、Ａｃｉｄ  Ｒｅｄ  ２８９、Ａｃｉｄ  Ｂｌｕｅ  １、Ａｃｉｄ  Ｂｌｕｅ  ７、Ａｃｉｄ  Ｂｌｕｅ  ９、Ａｃｉｄ  Ｂｌｕｅ  ３４、Ａｃｉｄ  Ｂｌｕｅ  ９０、Ａｃｉｄ  Ｂｌｕｅ  ９３、Ａｃｉｄ  Ｂｌｕｅ  １０４、Ａｃｉｄ  Ｂｌａｃｋ  １、Ａｃｉｄ  Ｇｒｅｅｎ  ３、Ａｃｉｄ  Ｇｒｅｅｎ  ５、Ａｃｉｄ  Ｇｒｅｅｎ  ５０、Ａｃｉｄ  Ｙｅｌｌｏｗ  ２３、及びそれらの混合物から成る群から選択され、且つ前記顔料インクの少なくとも約０．０１ｗｔ％から少なくとも約３．０ｗｔ％にて存在し、
前記アニオン性顔料が、該顔料上にカルボキシ官能基を有する、カーボンブラック、アントラキノン、フタロシアニンブルー、フタロシアニングリーン、ジアゾ、モノアゾ、ピラントロン、ペリレン、へテロ環イエロー、キナクリドン、及び（チオ）インジゴイドから成る群から選択され、且つ
前記酸性液体定着剤の少なくとも１つのカチオン性成分が、ポリアミン、四級化ポリアミン及びポリグアニジンから成る群から選択される、方法。
【請求項２５】
インクジェットプリンタであって、
少なくとも２つの噴射器部を有する少なくとも１つの印刷ヘッド部、及び
少なくとも２つの容器チャンバを有する少なくとも１つの容器部、
を含んで成り、各容器チャンバが、少なくとも２つの前記噴射器部の１つに液体を供給し、且つ前記容器チャンバの少なくとも１つが、少なくとも１つのカチオン性成分を含有する下刷り用の定着剤液を含み、且つ
前記容器チャンバの少なくとも１つが、
有機溶媒、
アニオン性染料及び少なくとも１つのアニオン性顔料、及び
少なくとも１つのカチオン性成分を含む酸性液体定着剤
を含有するインク組成物を含み、
前記酸性液体定着剤が、ポリアミン、四級化ポリアミン及びポリグアニジンから成る群から選択された少なくとも１つのカチオン性成分を含み、
前記アニオン性染料が、Ｆｏｏｄ  Ｂｌａｃｋ  ２、Ｆｏｏｄ  Ｇｒｅｅｎ  ３、Ｄｉｒｅｃｔ  Ｙｅｌｌｏｗ  １３２、Ｄｉｒｅｃｔ  Ｂｌｕｅ  ４１、Ｄｉｒｅｃｔ  Ｂｌｕｅ  ５３、Ｄｉｒｅｃｔ  Ｂｌａｃｋ  １６８、Ｄｉｒｅｃｔ  Ｒｅｄ  ２８、Ａｃｉｄ  Ｒｅｄ  ５２、Ａｃｉｄ  Ｒｅｄ  ９１、Ａｃｉｄ  Ｒｅｄ  ２８９、Ａｃｉｄ  Ｂｌｕｅ  １、Ａｃｉｄ  Ｂｌｕｅ  ７、Ａｃｉｄ  Ｂｌｕｅ  ９、Ａｃｉｄ  Ｂｌｕｅ  ３４、Ａｃｉｄ  Ｂｌｕｅ  ９０、Ａｃｉｄ  Ｂｌｕｅ  ９３、Ａｃｉｄ  Ｂｌｕｅ  １０４、Ａｃｉｄ  Ｂｌａｃｋ  １、Ａｃｉｄ  Ｇｒｅｅｎ  ３、Ａｃｉｄ  Ｇｒｅｅｎ  ５、Ａｃｉｄ  Ｇｒｅｅｎ  ５０、Ａｃｉｄ  Ｙｅｌｌｏｗ  ２３、及びそれらの混合物から成る群から選択され、且つ前記顔料インクの少なくとも約０．０１ｗｔ％から少なくとも約３．０ｗｔ％にて存在し、且つ
前記アニオン性顔料が、該顔料上にカルボキシ官能基を有する、カーボンブラック、アントラキノン、フタロシアニンブルー、フタロシアニングリーン、ジアゾ、モノアゾ、ピラントロン、ペリレン、へテロ環イエロー、キナクリドン、及び（チオ）インジゴイドからなる群から選択される、インクジェットプリンタ。
【請求項２６】
アニオン性染料と、少なくとも１つのアニオン性顔料と、少なくとも１つのカチオン性成分を含む酸性液体定着剤とを含有するインクジェット組成物を含むプリンタカートリッジを備える、装置。
【請求項２７】
前記アニオン性染料が、Ｆｏｏｄ  Ｂｌａｃｋ  ２、Ｆｏｏｄ  Ｇｒｅｅｎ  ３、Ｄｉｒｅｃｔ  Ｙｅｌｌｏｗ  １３２、Ｄｉｒｅｃｔ  Ｂｌｕｅ  ４１、Ｄｉｒｅｃｔ  Ｂｌｕｅ  ５３、Ｄｉｒｅｃｔ  Ｂｌａｃｋ  １６８、Ｄｉｒｅｃｔ  Ｒｅｄ  ２８、Ａｃｉｄ  Ｒｅｄ  ５２、Ａｃｉｄ  Ｒｅｄ  ９１、Ａｃｉｄ  Ｒｅｄ  ２８９、Ａｃｉｄ  Ｂｌｕｅ  １、Ａｃｉｄ  Ｂｌｕｅ  ７、Ａｃｉｄ  Ｂｌｕｅ  ９、Ａｃｉｄ  Ｂｌｕｅ  ３４、Ａｃｉｄ  Ｂｌｕｅ  ９０、Ａｃｉｄ  Ｂｌｕｅ  ９３、Ａｃｉｄ  Ｂｌｕｅ  １０４、Ａｃｉｄ  Ｂｌａｃｋ  １、Ａｃｉｄ  Ｇｒｅｅｎ  ３、Ａｃｉｄ  Ｇｒｅｅｎ  ５、Ａｃｉｄ  Ｇｒｅｅｎ  ５０、Ａｃｉｄ  Ｙｅｌｌｏｗ  ２３、及びそれらの混合物から成る群から選択される、請求項２６に記載の装置。
【請求項２８】
前記アニオン性顔料が、該顔料上にカルボキシ官能基を有する、カーボンブラック、アントラキノン、フタロシアニンブルー、フタロシアニングリーン、ジアゾ、モノアゾ、ピラントロン、ペリレン、へテロ環イエロー、キナクリドン、及び（チオ）インジゴイドから成る群から選択される、請求項２６に記載の装置。
【請求項２９】
前記アニオン性顔料が、ＣＡＢ−Ｏ−ＪＥＴ  ３００である、請求項２６に記載の装置。
【請求項３０】
前記酸性液体定着剤の少なくとも１つのカチオン性成分が、ポリアミン、四級化ポリアミン及びポリグアニジンから成る群から選択される、請求項２６に記載の装置。
【請求項３１】
前記染料が、前記顔料インクの少なくとも約０．０１ｗｔ％から少なくとも約３．０ｗｔ％にて存在する、請求項２６に記載の装置。
【発明の詳細な説明】
【技術分野】
【０００１】
本発明は、概して、インクを酸性液体定着剤と共に印刷する際の斑紋（mottle）を改善するべく、顔料系インクジェット組成物と混合されるアニオン性染料に関する。
【背景技術】
【０００２】
インクジェット画像は、精密なドットパターンが「印刷ヘッド」として知られている液滴生成装置から印刷媒体上に噴射される際に形成される。典型的なインクジェット印刷ヘッドでは、精密に形成されたノズル列が、ノズルプレート上に配置されており、且つインクジェット印刷ヘッド基材に取り付けられている。当該基材は、１つ又は複数のインク容器と流体連通し、液体インク（着色剤は溶媒に溶解又は分散している）を受容する射出チャンバアレイを備える。各射出チャンバは、「射出抵抗体」として知られる薄膜抵抗体がノズルに対向して配置されており、射出抵抗体とノズルとの間にインクを溜めることができる。詳細には、抵抗材料パッドである各抵抗体素子は、約３５μｍ×３５μｍの大きさである。当該印刷ヘッドは、印刷カートリッジ、即ち、インクジェットペンと呼ばれる外側パッケージングによって保持され且つ保護されている。
【０００３】
特定の抵抗体素子が励起されると、ノズルを介して、紙、透明フィルム等の印刷媒体へとインク液滴が射出される。インク液滴の射出は、典型的に、マイクロプロセッサにより制御されており、その信号は電気配線を通って抵抗体素子へと送られ、それによって、印刷媒体上に英数字及びその他の文字が形成される。
【発明の開示】
【発明が解決しようとする課題】
【０００４】
インクジェット記録に通常用いられるインクは、主に水性液中に水溶性有機溶媒（湿潤剤等）、界面活性剤、及び着色剤を含んで成る。「普通紙」上に記録する際、付着した着色剤は幾らかの移動性を維持しており、これは、ブリード、十分でないエッジ尖鋭度、フェザリング（feathering）、及び劣等な光学濃度／彩度（紙への浸透に起因）となって現れる場合がある。これらの特性は、文章及び画像の品質に悪影響を及ぼす。
【発明を実施するための最良の形態】
【０００５】
以下の説明及び添付の図面を参照することによって、本発明の実施形態を最もよく理解することができよう。
【０００６】
本発明の原理の理解を促進する目的で、以下、例示的な実施形態を説明する。特定の用語を用いて説明することとする。しかしながら、それによって本発明の範囲を限定する意のないことは理解されよう。関連する分野の、また本開示を手にする当業者であれば見出すであろう、本発明の特徴の任意の変更及び更なる修正及び本発明の原理の他の応用は、本発明の範囲内にあるとみなされるべきである。
【０００７】
図１及び２は、本発明の実施形態による、顔料及び染料組成物を有するインクジェットプリンタを示している。詳細には、図１及び２は、受容体３０上に画像２０を印刷するためのサーマルインクジェットプリンタ１０を示している。受容体３０は、画像２０を受けるのに適している紙又は透明物又はその他の材料とし得る。プリンタ１０は、ラスタ画像データ又は他の形式のデジタル画像データをもたらす入力源４０を具備する。これに関し、入力源４０は、コンピュータ、スキャナ、又はファクシミリ装置とし得る。
【０００８】
入力源４０は、出力信号を発生し、それは、入力源４０に接続されているコントローラ５０によって受信される。コントローラ５０は、入力源４０から受信した出力信号を処理し、コントローラ５０に接続されたサーマルインクジェット印刷ヘッド６０によって受信されるコントローラ出力信号を発生する。コントローラ５０は、入力源４０から受信した出力信号に応答して印刷ヘッド６０の動作を制御し、１つ又は複数の噴射器部にインク滴７０を噴射させる。さらに、プリンタ１０は、多数の容器チャンバを有する多数の容器部を具備し得る。前述のチャンバは、噴射器部に液体を供給することができる。これらのチャンバの例を、フルカラー画像２０を形成するための、種々のカラーインク（マゼンタ、イエロー、シアン及びブラックとし得る）を各々収容している複数の印刷ヘッドカートリッジ７５ａ、７５ｂ、７５ｃ、及び７５ｄによって示している。幾つかの実施形態では、容器チャンバの少なくとも１つは、少なくとも１つのカチオン性成分を含有する下刷り用の定着剤液を含み得る。幾つかの実施形態では、容器チャンバの少なくとも１つは、有機溶媒、アニオン性染料、少なくとも１つの顔料及び／又は酸性液体定着剤を含有するインク組成物を含み得る（以下に詳述する）。
【０００９】
個々の受容体シート３０は、シート供給トレイ７０のような供給棚から、取出し機構８０によって供給することができる。取出し機構８０は、個々の受容体シート３０をトレイ７０から取出し、そして印刷ヘッド６０と取出し機構８０との間に配置され位置決めされたガイド１００上に個々の受容体シート３０を送ることができる。ガイド１００は、各受容体シート３０を、印刷ヘッド６０と軸が合うように案内し得る。受容体３０を支持し且つ受容体３０を印刷ヘッド６０を越えて搬送するための回転可能なプラテンローラ１１０を印刷ヘッド６０と対向して配置することにより、印刷ヘッド６０は受容体３０上に画像２０を印刷し得る。これに関し、プラテンローラ１１０は受容体３０を矢印１１２の方向へ搬送する。
【００１０】
印刷時、印刷ヘッド６０は、全体を１２０で示す電動化された連続ベルト及びプーリーアセンブリによって、受容体３０を横切る方向に動作させ得る。ベルト及びプーリーアセンブリ１２０は、印刷ヘッド６０に取り付けられた連続ベルト１３０及びベルト１３０と噛み合うモータ１４０を備える。ベルト１３０は、図示するように、受容体３０を横切って横方向に伸びており、そしてモータ１４０は、少なくとも１つのプーリー１５０によってベルト１３０と噛み合う。モータ１４０がプーリー１５０を回転させると、ベルト１３０も回転する。ベルト１３０が回転すると、受容体３０を横切って横方向に伸びているベルト１３０に印刷ヘッド６０は取り付けられているため、印刷ヘッド６０は、受容体３０を横断することができる。さらに、印刷ヘッド６０自体は、印刷ヘッド６０が受容体３０を横断する際に印刷ヘッド６０を滑走可能に係合し且つ支持する、スライドバー１６０ａ及び１６０ｂによって支持されている。次いで、スライドバー１６０ａ及び１６０ｂは、スライドバー１６０ａ及び１６０ｂの端部に接続された複数のフレーム部材１７０ａ及び１７０ｂによって支持されている。コントローラ５０は、印刷ヘッド６０、取出し機構８０、プラテンローラ１１０、及びモータ１４０の動作を同期制御できるように、印刷ヘッド６０に加えて、取出し機構８０、プラテンローラ１１０、及びモータ１４０に接続させることができる。印刷ヘッド６０が受容体３０を横切る度に、画像情報のラインを受容体３０上に印刷することができる。画像情報の各ラインを受容体３０上に印刷した後に、プラテンローラ１１０は回転し、それによって、受容体３０は、矢印方向１１２へと所定の距離前進する。受容体３０を所定の距離だけ進めた後、印刷ヘッド６０は、再度、受容体３０を横断して画像情報の別のラインを印刷することができる。所望の印刷情報のすべてのラインを受容体３０に印刷した後に、画像２０が形成される。画像２０を受容体３０上に印刷したら、受容体３０は、プリンタ１０を出て、プリンタ１０のオペレータによって回収されるように出力棚（図示せず）に配置され得る。
【００１１】
ここで用いるとき、「比較的高いｐＨ」とは、約７．０より高い、約７．５より高い、又は約８．０より高いｐＨ値を指す。一実施形態において、比較的高いｐＨは、約７．１〜約１２、約７．１〜約１１、又は約７．５〜約１１のｐＨであり得る。ここで用いるとき、「アニオン性」は、負電荷を有し得る分子を指す。ここで用いるとき、「カチオン性」は、正電荷を有し得る分子を指す。ここで用いるとき、「ノニオン性」は、イオンに変換され得ない分子を指す。
【００１２】
ここで用いるとき、「ポリアミン」とは、２つ以上のアミノ（ＮＨ２）基を有する適切なカチオン性ポリマーを指す。ここで用いるとき、「分散化剤」又は「分散剤」は、溶液中で顔料が沈降するのを防止することによって分散を促進し得る化合物を指す。ここで用いるとき、「発色団」は、色を生じる薬剤である。ここで用いるとき、「染料」は、水溶性の着色剤分子を指す。ここで用いるとき、「顔料」は、着色剤分子から成る群を指す。ここでの使用に適する染料には、限定はしないが、シアン、マゼンタ、イエロー及びブラックが含まれる。
【００１３】
ここで用いるとき、「インクビヒクル」は、インクを形成するためにアニオン性染料、ポリアミン、及び／又は酸が入れられるビヒクルを指す。インクビヒクルは、当分野で周知であり、本発明のシステム、方法、及びインク組成物に対して広範なビヒクルを用い得る。そのようなインクビヒクルには、限定はしないが、界面活性剤、溶媒、共溶媒、緩衝剤、殺生物剤、粘度修正剤、表面活性剤、及び水をはじめとする、種々の薬剤から成る混合物が含まれ得る。
【００１４】
「インクジェット組成物」とは、２つの液体、即ち、インク液と酸性液体定着剤を含む。インク液は、少なくとも顔料及び染料を含む。そのような液体は、比較的高いｐＨで安定である。例えば、幾つかの実施形態では、約８〜約１０のｐＨ及び約１〜約５ｃｐの粘度が達成され得る。染料は、主として、得られる画像に色を付けるために含有される。
【００１５】
「酸性液体定着剤」は、インクビヒクルと酸を含んで成る。当該酸は、インク組成物のアニオン性種をプロトン化して、得られる画像の斑紋の改善を実現するよう機能する。適切な官能性酸を、酸性液体定着剤に用いることができる。特に適切な官能性酸としては、限定はしないが、コハク酸、グリコール酸、及び／又はクエン酸が挙げられる。酸性液体定着剤のｐＨは、約２〜６、好ましくは３〜５である。
【００１６】
１つのアプローチにおいて、インク液に用いられる顔料は、自己分散型アニオン性顔料である。ここで用いるとき、自己分散型アニオン性顔料という用語には、追加の分散剤を使用しなくても液体中へ分散され得る任意の顔料が含まれる。ここでの使用に適するそのようなアニオン性顔料としては、インクジェット印刷用として知られている、化学修飾された自己分散型アニオン性顔料の全てが含まれる。化学修飾によって、顔料前駆体（全ての有機顔料を包含する）に水分散性が付与される。典型的な化学処理によって、得られる顔料表面は、カルボン酸塩及び／又はスルホン酸塩の官能基を含む。この実施形態では、カルボン酸塩の官能基が好ましい。アニオン性顔料については、任意の適切な対イオンを用い得るが、通常、Ｎａ＋、Ｌｉ＋、Ｋ＋、及びＮＨ４＋と結合される。自己分散型顔料の一例は、Ｃａｂｏｔ  ＣｏｒｐｏｒａｔｉｏｎからのＣＡＢ−Ｏ−ＪＢＴ  ３００である。
【００１７】
他の実施形態においては、顔料は、分散剤の支援でインク液組成物中に分散される、即ち、「分散性顔料」である。ここで用いるとき、用語「分散性顔料」は、アニオン性官能基を有する分散剤（例えば、Ｓ．Ｃ．Ｊｏｈｎｓｏｎ  Ｐｏｌｙｍｅｒ（Ｒａｃｉｎｅ，  Ｗｉｓ．）から入手できるＪｏｎｃｒｙｌ（登録商標）ポリマー）で分散される任意の顔料を包含する。勿論、アニオン性電荷を呈する任意の他の分散剤を本発明の実施において採用し得る。
【００１８】
以下の顔料は、Ｃｏｌｕｍｂｉａｎから入手できるブラック顔料の例である：Ｒａｖｅｎ  ７０００、Ｒａｖｅｎ  ５７５０、Ｒａｖｅｎ  ５２５０、Ｒａｖｅｎ  ５０００、及びＲａｖｅｎ  ３５００。以下の顔料は、Ｄｅｇｕｓｓａから入手可能である：Ｃｏｌｏｒ  Ｂｌａｃｋ  ＦＷ２００、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ  １、Ｃｏｌｏｒ  Ｂｌａｃｋ  ＦＷ１８、Ｃｏｌｏｒ  Ｂｌａｃｋ  Ｓ１６０、Ｃｏｌｏｒ  Ｂｌａｃｋ  Ｓ１７０、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４。
【００１９】
カラー顔料は、少なくとも１つの有機基の結合によって修飾され得る任意の顔料である。例としては、限定はしないが、カーボンブラック、並びに、第１級アミンを含まず、且つ、好ましくは、顔料表面の有機基による修飾を助長するべくその繰り返し構造又はその表面に少なくとも１つの芳香環を有するカーボン以外のカラー顔料が挙げられる。適切なカラー顔料の種類としては、例えば、アントラキノン、フタロシアニンブルー、フタロシアニングリーン、ジアゾ、モノアゾ、ピラントロン、ペリレン、へテロ環イエロー、キナクリドン、及び（チオ）インジゴイドが挙げられる。フタロシアニンブルーの代表的な例には、銅フタロシアニンブルー及びその誘導体（Ｐｉｇｍｅｎｔ  Ｂｌｕｅ  １５）が含まれる。キナクリドンの代表的な例としては、Ｐｉｇｍｅｎｔ  Ｏｒａｎｇｅ  ４８、Ｐｉｇｍｅｎｔ  Ｏｒａｎｇｅ  ４９、Ｐｉｇｍｅｎｔ  Ｒｅｄ  １２２、Ｐｉｇｍｅｎｔ  Ｒｅｄ  １９２、Ｐｉｇｍｅｎｔ  Ｒｅｄ  ２０２、Ｐｉｇｍｅｎｔ  Ｒｅｄ  ２０６、Ｐｉｇｍｅｎｔ  Ｒｅｄ  ２０７、Ｐｉｇｍｅｎｔ  Ｒｅｄ  ２０９、Ｐｉｇｍｅｎｔ  Ｖｉｏｌｅｔ  １９及びＰｉｇｍｅｎｔ  Ｖｉｏｌｅｔ  ４２が挙げられる。アントラキノンの代表的な例としては、Ｐｉｇｍｅｎｔ  Ｒｅｄ  ４３、Ｐｉｇｍｅｎｔ  Ｒｅｄ  １９４（Ｐｅｒｉｎｏｎｅ  Ｒｅｄ）、Ｐｉｇｍｅｎｔ  Ｒｅｄ  ２１６（Ｂｒｏｍｉｎａｔｅｄ  Ｐｙｒａｎｔｈｒｏｎｅ  Ｒｅｄ）及びＰｉｇｍｅｎｔ  Ｒｅｄ  ２２６（Ｐｙｒａｎｔｈｒｏｎｅ  Ｒｅｄ）が挙げられる。ペリレンの代表的な例としては、Ｐｉｇｍｅｎｔ  Ｒｅｄ  １２３（Ｖｅｒｍｉｌｌｉｏｎ）、Ｐｉｇｍｅｎｔ  Ｒｅｄ  １４９（Ｓｃａｒｌｅｔ）、Ｐｉｇｍｅｎｔ  Ｒｅｄ  １７９（Ｍａｒｏｏｎ）、Ｐｉｇｍｅｎｔ  Ｒｅｄ  １９０（Ｒｅｄ）、Ｐｉｇｍｅｎｔ  Ｖｉｏｌｅｔ、Ｐｉｇｍｅｎｔ  Ｒｅｄ  １８９（Ｙｅｌｌｏｗ  Ｓｈａｄｅ  Ｒｅｄ）及びＰｉｇｍｅｎｔ  Ｒｅｄ  ２２４が挙げられる。チオインジゴイドの代表的な例としては、Ｐｉｇｍｅｎｔ  Ｒｅｄ  ８６、Ｐｉｇｍｅｎｔ  Ｒｅｄ  ８７、Ｐｉｇｍｅｎｔ  Ｒｅｄ  ８８、Ｐｉｇｍｅｎｔ  Ｒｅｄ  １８１、Ｐｉｇｍｅｎｔ  Ｒｅｄ  １９８、Ｐｉｇｍｅｎｔ  Ｖｉｏｌｅｔ  ３６、及びＰｉｇｍｅｎｔ  Ｖｉｏｌｅｔ  ３８が挙げられる。ヘテロ環イエローの代表的な例としては、Ｐｉｇｍｅｎｔ  Ｙｅｌｌｏｗ  １１７及びＰｉｇｍｅｎｔ  Ｙｅｌｌｏｗ  １３８が挙げられる。その他の適切なカラー顔料の例は、Ｃｏｌｏｕｒ  Ｉｎｄｅｘ、第三版（Ｔｈｅ  Ｓｏｃｉｅｔｙ  ｏｆ  Ｄｙｅｒｓ  ａｎｄ  Ｃｉｋｉｙｒｕｓｔｓ，１９８２）に記載されている。
【００２０】
カラーインクは、少なくとも１つの着色剤、典型的には、染料又は顔料を含む。染料又は顔料は、ノニオン性、カチオン性、アニオン性、又はその混合物とし得る。インクジェット印刷の使用に向くものとして知られている染料又は顔料はどれも本発明の実施において利用し得る。
【００２１】
一実施形態では、アニオン性染料はアニオン性染料を含む。有効量の染料を用いることができる。具体的には、アニオン性染料は、インク組成物中に０．１ｗｔ％〜５ｗｔ％にて存在し得る。適切なアニオン性染料の例には、多数の水溶性の酸性及び直接染料が含まれる。アニオン性染料の具体例としては、Ｄｉｒｅｃｔ  Ｙｅｌｌｏｗ  ８６、Ａｃｉｄ  Ｒｅｄ  ２８９、Ｄｉｒｅｃｔ  Ｂｌｕｅ  ４１、Ｄｉｒｅｃｔ  Ｂｌｕｅ  ５３、Ｄｉｒｅｃｔ  Ｂｌｕｅ  １９９、Ｄｉｒｅｃｔ  Ｂｌａｃｋ  １６８、及びＤｉｒｅｃｔ  Ｙｅｌｌｏｗ  １３２；Ａｍｉｎｙｌ  Ｂｒｉｌｌｉａｎｔ  Ｒｅｄ  Ｆ−Ｂ（Ｓｕｍｉｔｏｍｏ  Ｃｈｅｍｉｃａｌ  Ｃｏ．）；Ｈｏｅｃｈｓｔから入手可能な「塩フリー」染料のＤｕａｓｙｎ系列、Ｄｉｒｅｃｔ  Ｂｌａｃｋ  １６８、Ｒｅａｃｔｉｖｅ  Ｂｌａｃｋ  ３１、Ｄｉｒｅｃｔ  Ｙｅｌｌｏｗ  １５７、Ｒｅａｃｔｉｖｅ  Ｙｅｌｌｏｗ  ３７、Ａｃｉｄ  Ｙｅｌｌｏｗ  ２３、Ｒｅａｃｔｉｖｅ  Ｒｅｄ  １８０、Ｄｉｒｅｃｔ  Ｒｅｄ  ２８、Ａｃｉｄ  Ｒｅｄ  ５２、Ａｃｉｄ  Ｒｅｄ  ９１、Ａｃｉｄ  Ｂｌａｃｋ  １、Ａｃｉｄ  Ｇｒｅｅｎ  ３、Ａｃｉｄ  Ｇｒｅｅｎ  ５、Ａｃｉｄ  Ｇｒｅｅｎ  ５０、Ｄｉｒｅｃｔ  Ｂｌｕｅ  １９９、Ａｃｉｄ  Ｂｌｕｅ  １、Ａｃｉｄ  Ｂｌｕｅ  ７、Ａｃｉｄ  Ｂｌｕｅ  ９、Ａｃｉｄ  Ｂｌｕｅ  ３４、Ａｃｉｄ  Ｂｌｕｅ  ９０、Ａｃｉｄ  Ｂｌｕｅ  ９３、及びＡｃｉｄ  Ｂｌｕｅ  １０４；それらの混合物が挙げられる。さらに他の例としては、Ｔｒｉｃｏｎ  Ａｃｉｄ  Ｒｅｄ  ５２、Ｔｒｉｃｏｎ  Ｄｉｒｅｃｔ  Ｒｅｄ  ２２７、及びＴｒｉｃｏｎ  Ａｃｉｄ  Ｙｅｌｌｏｗ  １７（Ｔｒｉｃｏｎ  Ｃｏｌｏｒｓ  Ｉｎｃｏｒｐｏｒａｔｅｄ）、Ｂｅｒｎａｃｉｄ  Ｒｅｄ  ２ＢＭＮ、Ｐｏｎｔａｍｉｎｅ  Ｂｒｉｌｌｉａｎｔ  Ｂｏｎｄ  Ｂｌｕｅ  Ａ，ＢＡＳＦ  Ｘ−３４、Ｆｏｏｄ  Ｂｌａｃｋ  ２，Ｆｏｏｄ  Ｇｒｅｅｎ  ３、Ｃａｔｏｄｉｒｅｃｔ  Ｔｕｒｑｕｏｉｓｅ  ＦＢＬ  Ｓｕｐｒａ  Ｃｏｎｃ．（Ｃａｒｏｌｉｎａ  Ｃｏｌｏｒ  ａｎｄ  Ｃｈｅｍｉｃａｌ）、Ｄｉｒｅｃｔ  Ｂｌｕｅ  ８６、Ｉｎｔｒａｂｏｎｄ  Ｌｉｑｕｉｄ  Ｔｕｒｑｕｏｉｓｅ  ＧＬＬ（Ｃｒｏｍｐｔｏｎ  ａｎｄ  Ｋｎｏｗｌｅｓ）、Ｒｅａｃｔｉｖｅ  Ｒｅｄ  ４、Ｒｅａｃｔｉｖｅ  Ｒｅｄ  ５６、Ｌｅｖａｆｉｘ  Ｂｒｉｌｌｉａｎｔ  Ｒｅｄ  Ｅ−４Ｂ（Ｍｏｂａｙ  Ｃｈｅｍｉｃａｌ）、Ｌｅｖａｆｉｘ  Ｂｒｉｌｌｉａｎｔ  Ｒｅｄ  Ｅ−６ＢＡ（Ｍｏｂａｙ  Ｃｈｅｍｉｃａｌ）、Ａｃｉｄ  Ｒｅｄ  ９２、Ｄｉｒｅｃｔ  Ｂｒｉｌｌ  Ｐｉｎｋ  Ｂ  Ｇｒｏｕｎｄ  Ｃｒｕｄｅ（Ｃｒｏｍｐｔｏｎ＆Ｋｎｏｗｌｅｓ）、Ｃａｒｔａｓｏｌ  Ｙｅｌｌｏｗ  ＧＴＦ  Ｐｒｅｓｓｃａｋｅ（Ｓａｎｄｏｚ，Ｉｎｃ．）、Ｔａｒｔｒａｚｉｎｅ  Ｅｘｔｒａ  Ｃｏｎｃ．（ＦＤ＆Ｃ  Ｙｅｌｌｏｗ  ＃５、Ａｃｉｄ  Ｙｅｌｌｏｗ  ２３，Ｓａｎｄｏｚ，Ｉｎｃ．）、Ｄｉｒｅｃｔ  Ｙｅｌｌｏｗ  ８６、Ｃａｒｔａｓｏｌ  Ｙｅｌｌｏｗ  ＧＴＦ  Ｌｉｑｕｉｄ  Ｓｐｅｃｉａｌ  １１０（Ｓａｎｄｏｚ，Ｉｎｃ．）、Ｄ＆Ｃ  Ｙｅｌｌｏｗ  ＃１０（Ｙｅｌｌｏｗ  ３，Ｔｒｉｃｏｎ）、Ｙｅｌｌｏｗ  Ｓｈａｄｅ  １６９４８（Ｔｒｉｃｏｎ）、Ｂａｓａｃｉｄ  Ｂｌａｃｋ  Ｘ３４（ＢＡＳＦ���、Ｃａｒｔａ  Ｂｌａｃｋ  ２ＧＴ（Ｓａｎｄｏｚ，Ｉｎｃ．）、Ｎｅｏｚａｐｏｎ  Ｒｅｄ  ４９２（ＢＡＳＦ）、Ｏｒａｓｏｌ  Ｒｅｄ  Ｇ（Ｃｉｂａ−Ｇｅｉｇｙ）、Ｄｉｒｅｃｔ  Ｂｒｉｌｌｉａｎｔ  Ｐｉｎｋ  Ｂ（Ｃｒｏｍｐｔｏｎ−Ｋｎｏｌｌｓ）、Ａｉｚｅｎ  Ｓｐｉｌｏｎ  Ｒｅｄ  Ｃ−ＢＨ（Ｈｏｄａｇａｙａ  Ｃｈｅｍｉｃａｌ  Ｃｏｍｐａｎｙ）、Ｋａｙａｎｏｌ  Ｒｅｄ  ３ＢＬ（Ｎｉｐｐｏｎ  Ｋａｙａｋｕ  Ｃｏｍｐａｎｙ）、Ｌｅｖａｎｏｌ  Ｂｒｉｌｌｉａｎｔ  Ｒｅｄ  ３ＢＷ（Ｍｏｂａｙ  Ｃｈｅｍｉｃａｌ  Ｃｏｍｐａｎｙ）、Ｌｅｖａｄｅｒｍ  Ｌｅｍｏｎ  Ｙｅｌｌｏｗ（Ｍｏｂａｙ  Ｃｈｅｍｉｃａｌ  Ｃｏｍｐａｎｙ）、Ａｉｚｅｎ  Ｓｐｉｌｏｎ  Ｙｅｌｌｏｗ  Ｃ−ＧＮＨ（Ｈｏｄａｙａｙａ  Ｃｈｅｍｉｃａｌ  Ｃｏｍｐａｎｙ）、Ｓｐｉｒｉｔ  Ｆａｓｔ  Ｙｅｌｌｏｗ  ３Ｇ，Ｓｉｒｉｕｓ  Ｓｕｐｒａ  Ｙｅｌｌｏｗ  ＧＤ  １６７，Ｃａｒｔａｓｏｌ  Ｂｒｉｌｌｉａｎｔ  Ｙｅｌｌｏｗ  ４ＧＦ（Ｓａｎｄｏｚ）、Ｐｅｒｇａｓｏｌ  Ｙｅｌｌｏｗ  ＣＧＰ（Ｃｉｂａ−Ｇｅｉｇｙ）、Ｏｒａｓｏｌ  Ｂｌａｃｋ  ＲＬ（Ｃｉｂａ−Ｇｅｉｇｙ）、Ｏｒａｓｏｌ  Ｂｌａｃｋ  ＲＬＰ（Ｃｉｂａ−Ｇｅｉｇｙ）、Ｓａｖｉｎｙｌ  Ｂｌａｃｋ  ＲＬＳ（Ｓａｎｄｏｚ）、Ｄｅｒｍａｃａｒｂｏｎ  ２ＧＴ（Ｓａｎｄｏｚ）、Ｐｙｒａｚｏｌ  Ｂｌａｃｋ  ＢＧ（ＩＣＩ  Ａｍｅｒｉｃａｓ）、Ｍｏｒｆａｓｔ  Ｂｌａｃｋ  Ｃｏｎｃ  Ａ（Ｍｏｒｔｏｎ−Ｔｈｉｏｋｏｌ）、Ｄｉａｚｏｌ  Ｂｌａｃｋ  ＲＮ  Ｑｕａｄ（ＩＣＩ  Ａｍｅｒｉｃａｓ）、Ｏｒａｓｏｌ  Ｂｌｕｅ  ＧＮ（Ｃｉｂａ−Ｇｅｉｇｙ）、Ｓａｖｉｎｙｌ  Ｂｌｕｅ  ＧＬＳ（Ｓａｎｄｏｚ，Ｉｎｃ．）、Ｌｕｘｏｌ  Ｂｌｕｅ  ＭＢＳＮ（Ｍｏｒｔｏｎ−Ｔｈｉｏｋｏｌ）、Ｓｅｖｒｏｎ  Ｂｌｕｅ  ５ＧＭＦ（ＩＣＩ  Ａｍｅｒｉｃａｓ）、及びＢａｓａｃｉｄ  Ｂｌｕｅ  ７５０（ＢＡＳＦ）；全てＢａｙｅｒから入手可能な、Ｌｅｖａｆｉｘ  Ｂｒｉｌｌｉａｎｔ  Ｙｅｌｌｏｗ  Ｅ−ＧＡ、Ｌｅｖａｆｉｘ  Ｙｅｌｌｏｗ  Ｅ２ＲＡ、Ｌｅｖａｆｉｘ  Ｂｌａｃｋ  ＥＢ、Ｌｅｖａｆｉｘ  Ｂｌａｃｋ  Ｅ−２Ｇ、Ｌｅｖａｆｉｘ  Ｂｌａｃｋ  Ｐ−３６Ａ、Ｌｅｖａｆｉｘ  Ｂｌａｃｋ  ＰＮ−Ｌ、Ｌｅｖａｆｉｘ  Ｂｒｉｌｌｉａｎｔ  Ｒｅｄ  Ｅ６ＢＡ、及びＬｅｖａｆｉｘ  Ｂｒｉｌｌｉａｎｔ  Ｂｌｕｅ  ＥＦＦＡ；全てＩＣＩ  Ａｍｅｒｉｃａｓから入手可能な、Ｐｒｏｃｉｏｎ  Ｔｕｒｑｕｏｉｓｅ  ＰＡ、Ｐｒｏｃｉｏｎ  Ｔｕｒｑｕｏｉｓｅ  ＨＡ、Ｐｒｏｃｉｏｎ  Ｔｕｒｑｕｏｉｓｅ  Ｈｏ５Ｇ、Ｐｒｏｃｉｏｎ  Ｔｕｒｑｕｏｉｓｅ  Ｈ−７Ｇ、Ｐｒｏｃｉｏｎ  Ｒｅｄ  ＭＸ−５Ｂ、Ｐｒｏｃｉｏｎ  Ｒｅｄ  Ｈ８Ｂ（Ｒｅａｃｔｉｖｅ  Ｒｅｄ  ３１）、Ｐｒｏｃｉｏｎ  Ｒｅｄ  ＭＸ  ８Ｂ  ＧＮＳ、Ｐｒｏｃｉｏｎ  Ｒｅｄ  Ｇ、Ｐｒｏｃｉｏｎ  Ｙｅｌｌｏｗ  ＭＸ−８Ｇ、Ｐｒｏｃｉｏｎ  Ｂｌａｃｋ  Ｈ−ＥＸＬ、Ｐｒｏｃｉｏｎ  Ｂｌａｃｋ  Ｐ−Ｎ、Ｐｒｏｃｉｏｎ  Ｂｌｕｅ  ＭＸ−Ｒ、Ｐｒｏｃｉｏｎ  Ｂｌｕｅ  ＭＸ−４ＧＤ、Ｐｒｏｃｉｏｎ  Ｂｌｕｅ  ＭＸ−Ｇ、及びＰｒｏｃｉｏｎ  Ｂｌｕｅ  ＭＸ−２ＧＮ；全てＣｉｂａ−Ｇｅｉｇｙから入手可能な、Ｃｉｂａｃｒｏｎ  Ｒｅｄ  Ｆ−Ｂ、Ｃｉｂａｃｒｏｎ  ���ｌａｃｋ  ＢＧ、Ｌａｎａｓｏｌ  Ｂｌａｃｋ  Ｂ、Ｌａｎａｓｏｌ  Ｒｅｄ  ５Ｂ、Ｌａｎａｓｏｌ  Ｒｅｄ  Ｂ、及びＬａｎａｓｏｌ  Ｙｅｌｌｏｗ  ４６；全てＢＡＳＦから入手可能な、Ｂａｓｌｉｅｎ  Ｂｌａｃｋ  Ｐ−ＢＲ、Ｂａｓｌｉｅｎ  Ｙｅｌｌｏｗ  ＥＧ、Ｂａｓｌｉｅｎ  Ｂｒｉｌｌｉａｎｔ  Ｙｅｌｌｏｗ  Ｐ−３ＧＮ、Ｂａｓｌｉｅｎ  Ｙｅｌｌｏｗ  Ｍ−６ＧＤ、Ｂａｓｌｉｅｎ  Ｂｒｉｌｌｉａｎｔ  Ｒｅｄ  Ｐ−３Ｂ、Ｂａｓｌｉｅｎ  Ｓｃａｒｌｅｔ  Ｅ−２Ｇ、Ｂａｓｌｉｅｎ  Ｒｅｄ  Ｅ−Ｂ、Ｂａｓｌｉｅｎ  Ｒｅｄ  Ｅ−７Ｂ、Ｂａｓｌｉｅｎ  Ｒｅｄ  Ｍ−５Ｂ、Ｂａｓｌｉｅｎ  Ｂｌｕｅ  Ｅ−Ｒ、Ｂａｓｌｉｅｎ  Ｂｒｉｌｌｉａｎｔ  Ｂｌｕｅ  Ｐ−３Ｒ、Ｂａｓｌｉｅｎ  Ｂｌａｃｋ  Ｐ−ＢＲ、Ｂａｓｌｉｅｎ  Ｔｕｒｑｕｏｉｓｅ  Ｂｌｕｅ  Ｐ−ＧＲ、Ｂａｓｌｉｅｎ  Ｔｕｒｑｕｏｉｓｅ  Ｍ−２Ｇ、Ｂａｓｌｉｅｎ  Ｔｕｒｑｕｏｉｓｅ  Ｅ−Ｇ、及びＢａｓｌｉｅｎ  Ｇｒｅｅｎ  Ｅ−６Ｂ；全てＳｕｍｉｔｏｍｏ  Ｃｈｅｍｉｃａｌ  Ｃｏｍｐａｎｙから入手可能な、Ｓｕｍｉｆｉｘ  Ｔｕｒｑｕｏｉｓｅ  Ｂｌｕｅ  Ｇ、Ｓｕｍｉｆｉｘ  Ｔｕｒｑｕｏｉｓｅ  Ｂｌｕｅ  Ｈ−ＧＦ、Ｓｕｍｉｆｉｘ  Ｂｌａｃｋ  Ｂ、Ｓｕｍｉｆｉｘ  Ｂｌａｃｋ  Ｈ−ＢＧ、Ｓｕｍｉｆｉｘ  Ｙｅｌｌｏｗ  ２ＧＣ、Ｓｕｍｉｆｉｘ  Ｓｕｐｒａ  Ｓｃａｒｌｅｔ  ２ＧＦ、及びＳｕｍｉｆｉｘ  Ｂｒｉｌｌｉａｎｔ  Ｒｅｄ  ５ＢＦ；全てＣｒｏｍｐｔｏｎ  ａｎｄ  Ｋｎｏｗｌｅｓ，Ｄｙｅｓ  ａｎｄ  Ｃｈｅｍｉｃａｌｓ  Ｄｉｖｉｓｉｏｎから入手可能な、Ｉｎｔｒａｃｒｏｎ  Ｙｅｌｌｏｗ  Ｃ−８Ｇ、Ｉｎｔｒａｃｒｏｎ  Ｒｅｄ  Ｃ−８Ｂ、Ｉｎｔｒａｃｒｏｎ  Ｔｕｒｑｕｏｉｓｅ  Ｂｌｕｅ  ＧＥ、Ｉｎｔｒａｃｒｏｎ  Ｔｕｒｑｕｏｉｓｅ  ＨＡ、及びＩｎｔｒａｃｒｏｎ  Ｂｌａｃｋ  ＲＬ；それらの混合物が挙げられる。染料の具体例には、例えば、Ｐｒｏ−Ｊｅｔ  ４８５（銅フタロシアニン）、Ｍａｇｅｎｔａ３７７、又はＤｉｒｅｃｔ  Ｙｅｌｌｏｗ  １３２が含まれる。このリストは、単なる例示であって、限定の意はない。
【００２２】
一実施形態では、カチオン性ポリマーは、ポリアミン、四級化ポリアミン及びポリグアニジンを含む。その他のカチオン性ポリマーとしては、ポリ（Ｎ，Ｎ，−ジメチル−２−ヒドロキシプロピレンアンモニウムクロリド）、ポリ（４−ビニル−１−メチル−ピリジニウムブロミド）、ポリジアリルジメチルアンモニウムクロリド、四級化ビニルイミダゾールとポリクオタニウム２のコポリマーが挙げられる。この実施において用い得るポリアミンの例としては、ポリエチレンイミン、ポリビニルピリジン、ポリビニルアミン、ポリアリルアミン、及びその組合せが挙げられる。
【００２３】
一実施形態では、有用なインクの典型的な調合物は、１つ又は複数の共溶媒（０〜約５０ｗｔ％）、１つ又は複数の水溶性界面活性剤／両親媒性物質（０〜約４０ｗｔ％、特に約１〜約５ｗｔ％）（これらは、ブリード防止のためにカラーインクに用いられるカチオン性界面活性剤に加えてビヒクルに加えられる）、１つ又は複数の高分子量コロイド（０〜約６ｗｔ％）、及び水（残部）から構成される。
【００２４】
インクの調合に関しては、１つ又は複数の共溶媒をビヒクルに添加することができる。一実施形態において用いられる共溶媒の種類としては、限定はしないが、脂肪族アルコール、芳香族アルコール、ジオール、グリコールエーテル、ポリ（グリコール）エーテル、カプロラクタム、ホルムアミド、アセトアミド、及び長鎖アルコールが挙げられる。一実施形態に採用される化合物の例としては、限定するものではないが、炭素数３０以下の第１脂肪族アルコール、炭素数３０以下の第１芳香族アルコール、炭素数３０以下の第２脂肪族アルコール、炭素数３０以下の第２芳香族アルコール、炭素数３０以下の１，２−アルコール、炭素数３０以下の１，３−アルコール、炭素数３０以下の１，５−アルコール、エチレングリコールアルキルエーテル、プロピレングリコールアルキルエーテル、ポリ（エチレングリコール）アルキルエーテル、ポリ（エチレングリコール）アルキルエーテルの高次の同族体、ポリ（プロピレングリコール）アルキルエーテル、ポリ（プロピレングリコール）アルキルエーテルの高次の同族体、Ｎ−アルキルカプロラクタム、未置換カプロラクタム、置換ホルムアミド、未置換ホルムアミド、置換アセトアミド、及び未置換アセトアミドが挙げられる。一実施形態において特に用いられる共溶媒の具体例としては、限定はしないが、１，５−ペンタンジオール、２−ピロリドン、２−エチル−２−ヒドロキシメチル−１，３−プロパンジオール、ジエチレングリコール、３−メトキシブタノール、及び１，３−ジメチル−２−イミダゾリジノンが挙げられる。共溶媒の濃度は、０〜約５０ｗｔ％、又は約０．１〜１５ｗｔ％の範囲であり得る。
【００２５】
実施例
以下の実施例は、現在最もよく知られている本発明の好ましい実施形態を説明するものである。しかしながら、やはり本発明の範囲内であるその他の実施形態も実施することができる。
【００２６】
２つの異なるインク組成物と、１つの酸性定着剤組成物とを調製し、そして本発明の原理に従って試験した。当該組成物及び試験結果を以下に記述する。
【実施例１】
【００２７】
シアンインク組成物
以下の材料（重量パーセントで測定）を混合してシアンインク組成物を調製した。
３．０％      Ｃａｂｏｔの自己分散型シアン顔料
０．５％      Ａｃｉｄ  Ｂｌｕｅ  ９
１２％        ジプロピレングリコール
６．０％      ２−ピロリドン
４．０％      １，２−ヘキサンジオール
３．０％      Ｌｉｐｏｎｉｃ  ＥＧ−１
１．０％      Ｃｒｏｄａｆｏｓ  Ｎ３  Ａｃｉｄ
０．７５％    ＴＥＲＧＩＴＯＬ  １５−Ｓ−７（エトキシル化アルコール）
０．０２％    Ｚｏｎｙｌ  ＦＳＯ
０．２％      Ｐｒｏｘｅｌ  ＧＸＬ
０．０５％    ＥＤＴＡ
０．４０％    Ｊｏｎｃｒｙｌ  ５８６
残部          脱イオン水
【実施例２】
【００２８】
ブラックインク組成物
以下の材料（重量パーセントで測定）を混合してブラックインク組成物を調製した。
０．５％      Ｆｏｏｄ  Ｂｌａｃｋ  ２  染料
１．８％      Ｊｏｎｃｒｙｌ  ５８６，ＡＮ  １０８，ＭＷ  ４６００
０．４％      Ａｖｅｃｉａのポリウレタン樹脂、ＡＮ  ５５，ＭＷ  ５５００
０．０３％    フルオロ界面活性剤
７．０％      ２−ピロリドン
４．０％      １，２−ヘキサンジオール
８．０％      ジプロピレングリコール
４．０％      ２−ヒドロキシエチル−２−イミダゾリドン
０．２％      Ｐｒｏｘｅｌ  ＧＸＬ
残部          脱イオン水
【実施例３】
【００２９】
酸性定着剤組成物（ｐＨ＝４）
以下の材料（重量パーセントで測定）を混合して酸性定着剤組成物を調製した。
２．４４％    ポリグアニジン
６．０％      Ｄａｎｔｏｃｏｌ  ＤＨＥ
６．０％      ２−ピロリドン
４．０％      コハク酸
０．３％      Ｓｕｒｆｙｎｏｌ  ４４０
０．２５％    Ｓｕｒｆｏｎｙｌ  ６１
０．０５％    ＥＤＴＡ
残部          脱イオン水
【００３０】
実施例１及び２におけるインクジェット組成物は全て、約８〜１０のｐＨで安定であり且つ約３〜１０ｃｐの粘度値を呈した。
【００３１】
【表１】
2008519138.tif 000002
【００３２】
ブラックインクジェット組成物についての印刷特性を表１に示す。斑紋特性は、付加染料無しのインク（Ａ及びＢ）に較べて染料付加インク（調合物Ｃ−Ｆ）では最良であった。調合物Ｃ及びＤに関する光学濃度の結果は、調合物Ａ及びＢのそれより低かった。比較的高い光学濃度を有する調合物が必ずしも斑紋の見え方が改善されるわけではない。
【００３３】
【表２】
2008519138.tif 000003
【００３４】
実施例１のインク組成物を用いて印刷したバー状画像について、実施例３記載の酸性定着剤組成物による下刷りの有無に関し試験した。８ｐｌペンを使って６００ｄｐｉでの定着剤例下刷りの１滴に対して３滴のインクを印刷した。普通紙（Ｇｒｅａｔ  Ｗｈｉｔｅ，ＨＰ  Ｍｕｌｔｉｐｕｒｐｏｓｅ  ａｎｄ  Ｈａｍｍｅｒｍｉｌ  Ｃｏｌｏｒ  ｃｏｐｙ）及びコート紙（Ｌｕｓｔｒｏ  Ｌａｓｅｒ）の両方を評価に用いた。試験床は、非加熱条件下で動作させた。サンプル印刷から２４時間後、滴下試験を実施した。バーのＯＤ及び水滴転移ｍＯＤを測定した。Ｌ＊Ｃ及びｈ（Ｄ５０、２度、１９３１  標準オブザーバー）値は、エックスライト（Ｘ−ｒｉｔｅ）により測定した。
【００３５】
印刷特性を表２にまとめる。耐久性の点で、ＡＢ９（Ａｃｉｄ  Ｂｌｕｅ  ９）アニオン染料含有のインクは、普通紙及びコート紙上に定着剤を下刷りした場合、比較対照インクと類似の滴下性能を示す。ＡＢ９含有インクは、比較対照インクと類似の彩度をもたらす。しかしながら、ＡＢ９含有インクについてのＬ＊は低く、比較的高い飽和度（Ｃ／Ｌ＊）に帰着する。斑紋は、染料が付加されたシアン、グリーン及びブルーで改善する。
【００３６】
特定の好ましい実施形態を参照して本発明を説明してきたが、本発明の範囲から逸脱することなく、種々の修正、変更、省略、及び置換をなし得ることは当業者には理解されよう。本発明は、添付の特許請求の範囲によってのみ限定されるものとする。
【図面の簡単な説明】
【００３７】
【図１】本発明の実施形態による、顔料及び染料組成物を有するインクジェットプリンタ
【図２】本発明の実施形態による、顔料及び染料組成物を有するインクジェットプリンタ
【図１】
2008519138.tif 000004
【図２】
2008519138.tif 000005
【国際調査報告】
2008519138.tif 000006
2008519138.tif 000007